(57)【要約】【課題】  パッシブ型ＩＣタグのＩＤ番号を読取り印字するシステムにおいて、ＩＣタグと読取器との相対速度が速くなっても、ＩＤタグを正常に読取り印字できるシステムを提供する。【解決手段】  ＩＣタグ２に送信電波を送信する送信部１２と、ＩＣタグ発信電波を受信する受信部１３とを具備し、電波受信により内部で電力を発生し動作してＩＣタグ発信電波を発信するパッシブ型ＩＣタグ２のデータを読み取るＩＣタグ読取器であって、受信部１３は、搬送されるＩＣタグ２のＩＣタグ発信電波が到達する範囲内の受信位置に配置され、送信部１２は、ＩＣタグ発信電波が受信部１３へ到達する範囲外となる搬送位置から到達する範囲内となる搬送位置までの間のＩＣタグ２が送信電波を受信することができる送信位置に配置される。【選択図】        図１
2006031461.tif 000002
【特許請求の範囲】
【請求項１】
ＩＣタグに送信電波を送信する送信部と、ＩＣタグ発信電波を受信する受信部とを具備し、電波受信により内部で電力を発生し動作してＩＣタグ発信電波を発信するパッシブ型ＩＣタグのデータを読み取るＩＣタグ読取器であって、
前記受信部は、搬送されるＩＣタグのＩＣタグ発信電波が到達する範囲内の受信位置に配置され、前記送信部は、ＩＣタグ発信電波が前記受信部へ到達する範囲外となる搬送位置から到達する範囲内となる搬送位置までの間の前記ＩＣタグが送信電波を受信することができる送信位置に配置されることを特徴とするＩＣタグ読取器。
【請求項２】
請求項１記載のＩＣタグ読取器と、ＩＤ番号を記憶するＩＣタグを搬送する搬送装置と、搬送中のＩＣタグに文字を印字する印字装置とを具備し、前記ＩＣタグ読取器が読み出したＩＣタグのＩＤ番号を、前記印字装置で前記ＩＣタグに印字することを特徴とするＩＤ印字システム。
【請求項３】
請求項１記載のＩＣタグ読取器において、
上記受信部は複数のＩＣタグ電波を受信する複数の受信機能と、該複数の受信機能間で電波を遮断する電波遮断機能とを有し、１つの送信部が発信する電波を複数のＩＣタグに送信し、該複数のＩＣタグが送信するＩＣタグ発信電波を、前記受信部が有する複数の受信機能により受信することを特徴とするＩＣタグ読取器。
【請求項４】
請求項３記載のＩＣタグ読取器と、ＩＤ番号をそれぞれ記憶する複数のＩＣタグを搬送する搬送装置と、搬送中の複数のＩＣタグに文字を印字する印字装置とを具備し、前記ＩＣタグ読取器で読み出した複数のＩＣタグのＩＤ番号を、前記印字装置で前記複数のＩＣタグに、それぞれ対応するＩＤ番号を印字することを特徴とするＩＤ印字システム。
【発明の詳細な説明】
【技術分野】
【０００１】
本発明は、ＩＣタグ読取器及びＩＤ印字システムであって、無線電波を受信することで自ら電力を発生し、無線によるデータ通信を行うパッシブ型ＩＣタグ（以下、「ＩＣタグ」と略記）に係り、ＩＣタグに記憶されているＩＤ番号を読取る装置、ならびに読取ったＩＤ番号をＩＣタグに印字するシステムを提供する技術に関するものである。
【背景技術】
【０００２】
ＩＣタグは各々が固有のＩＤ番号を持っており、そのＩＤを確認することでＩＣタグを搭載した物品を管理することが可能であり、物流分野においてはトレーサビリティをはじめと広く利用されている。これらＩＣタグによる物品を管理する例として、特許文献１等がある。上記ＩＣタグは、無線によるデータ通信を行うため、物品に搭載した場合にも移動に対する制約が少ない。特に、パッシブ型のＩＣタグは動作するための電力をＩＤ読取器から受ける電波により自己発電するため、電池等の外部電力を必要とせず小型化も実現できるこという利点を有している。
【特許文献１】特開２００１−２３３４１０号公報
【発明の開示】
【発明が解決しようとする課題】
【０００３】
しかしながら上記従来の技術等において、ＩＣタグは読込み装置から送信される電波をアンテナで受信することで自ら電力を発生し動作を開始し、記憶しているＩＤデータを電波として送信するものである。したがって、ＩＣタグが送信できるパワーを大きくすることは難しく、ＩＣタグが送信できる範囲は比較的狭い範囲となっている。このように、狭い範囲でしか通信が行えないことから、ＩＣタグと読取器との相対速度が速くなるにしたがい、データ通信を正常に行えない場合が生じるという問題がある。従って、本発明は、上記問題を解決することを課題とする。
【課題を解決するための手段】
【０００４】
本発明は、上記課題を解決するために、読取器が持つ電波の送信部分と受信部分を分離できる形態とし、ＩＣタグが電力を発生するための電波を、ＩＣタグがＩＤ番号を送信できる範囲の外側から送信するようにする。そのため、ＩＣタグはＩＤ番号を含んだ電波を己の送信範囲外から送信を開始することになり、読取器の受信部にＩＤ番号の電波が届く範囲に入った時には、正常の電波を読取器に送信されているようにすることにある。
【０００５】
すなわち、本発明は、ＩＣタグに送信電波を送信する送信部と、ＩＣタグ発信電波を受信する受信部とを具備し、電波受信により内部で電力を発生し動作してＩＣタグ発信電波を発信するパッシブ型ＩＣタグのデータを読み取るＩＣタグ読取器であって、前記受信部は、搬送されるＩＣタグのＩＣタグ発信電波が到達する範囲内の受信位置に配置され、前記送信部は、ＩＣタグ発信電波が前記受信部へ到達する範囲外となる搬送位置から到達する範囲内となる搬送位置までの間の前記ＩＣタグが送信電波を受信することができる送信位置に配置されるＩＣタグ読取器である。
【０００６】
また、本発明は、上記のＩＣタグ読取器と、ＩＤ番号を記憶するＩＣタグを搬送する搬送装置と、搬送中のＩＣタグに文字を印字する印字装置とを具備し、前記ＩＣタグ読取器が読み出したＩＣタグのＩＤ番号を、前記印字装置で前記ＩＣタグに印字するＩＤ印字システムである。
【０００７】
そして、本発明は、上記受信部は複数のＩＣタグ電波を受信する複数の受信機能と、該複数の受信機能間で電波を遮断する電波遮断機能とを有し、１つの送信部が発信する電波を複数のＩＣタグに送信し、該複数のＩＣタグが送信するＩＣタグ発信電波を、前記受信部が有する複数の受信機能により受信するＩＣタグ読取器である。
【０００８】
更に、本発明は、上記のＩＣタグ読取器と、ＩＤ番号をそれぞれ記憶する複数のＩＣタグを搬送する搬送装置と、搬送中の複数のＩＣタグに文字を印字する印字装置とを具備し、前記ＩＣタグ読取器で読み出した複数のＩＣタグのＩＤ番号を、前記印字装置で前記複数のＩＣタグに、それぞれ対応するＩＤ番号を印字するＩＤ印字システムである。
【発明の効果】
【０００９】
本発明によれば、ＩＣタグと読取器との間でデータを無線で送信する場合に、従来は通信範囲が比較的狭いため、相対速度が遅い状態でないと正常な通信が行えない場合が生じていたが、ＩＣタグを変更することなく相対速度が速くなってもその問題が解決できることになる。
【発明を実施するための最良の形態】
【００１０】
本発明を実施するための最良の形態を説明する。
以下、本発明を用いた実施の形態である実施例について、図１〜図４を用いて説明する。図１は、実施例１のＩＤ印字システムの構成図である。図２は、実施例１のＩＤ印字システムにおけるＩＣタグ読取器の構成図である。図３は、実施例２のＩＤ印字システムの構成図である。図４は、実施例２のＩＤ印字システムにおけるＩＣタグ読取器の構成図である。
【実施例１】
【００１１】
実施例１を説明する。本発明の一実施形態であるＩＣタグのＩＤ印字システムの全体構成について、図１を用いて説明する。本システムはＩＣタグ２に記憶されている固有のＩＤ番号を読出し、インクジェットプリンタ等の印字装置にてＩＣタグ２にそのＩＤ番号を印字するシステムである。まず、ＩＣタグ２は、供給装置４によりＩＣタグを移動させるコンベア５の上に供給される。コンベア５により移動しているＩＣタグ２は、その途中で送信部１２の発する電波を受信することで内部にて電力を発生し動作を開始し、記憶しているＩＤ番号を電波として発信することを開始する。その後、ＩＣタグ２はコンベア５により運ばれ、ＩＣタグ２が発信する電波が受信部１３に届くＩＤ読取り位置を通過する時に、受信部１３はＩＣタグ２の電波を受信しＩＣタグ読取器１にそのデータを送信する。ここで、送信部１２が発信する電波は、ＩＤ読取り位置まで到達できるパワーで送信されるため、ＩＣタグ２は送信部１２からの電波の受信開始からＩＤタグ読取器１にデータを送信するまで動作を継続していることになる。ＩＤタグ読取器１は、受信したデータからＩＣタグ２のＩＤ番号を抽出した後、そのＩＤ番号のデータを印字制御器３に送る。印字制御器３は、コンベア５により搬送されてくる該当のＩＣタグが印字位置に来た時点で、印字ヘッド３１によりＩＤ番号を該当するＩＣタグ２に印字する。その後、ＩＤ番号が印字されたＩＣタグ２は、コンベア５により搬送され回収装置６にて回収される。
【００１２】
このようにすることで、ＩＣタグ２はコンベア５により常に一定の速度で移動しながらＩＤ番号を印字されることが可能になる。
【００１３】
次に、ＩＣタグ読取器１がＩＣタグ２のＩＤデータを読込む方式の詳細について、図２を用いて説明する。ＩＣタグ読取器１は、送信部１２を送信制御部１１にて制御することで、連続的にＩＣタグ２に対する電波を送信部１２より発信する。ＩＣタグ２は、アンテナ２２が送信部１２からの電波を受信することで電力を発生し、ＩＣチップ２１が動作を開始する。ＩＣチップ２１はその動作で、自身に記憶しているＩＤ番号を同じくアンテナ２２より電波として発信する。アンテナ２２から発信された電波は受信部１３にて受信され、受信制御部１４に送られ、受信制御部１４では受取った信号よりＩＤ番号を抽出する。その後、抽出されたＩＤ番号は通信制御部１５を介して、ＩＤ番号を印字する印字制御器に送られ、これら一連の動作を連続して実施する。
【００１４】
なお、ＩＣタグ２の種類によっては、ＩＣタグ２が受信し電力を発生する電波の中に動作を指定するコマンドデータを含むタイプも存在する。つまり、双方向に通信を行う種類もあるが、このような場合には送信制御部１１がそれらに対応するデータを定期的に発信されるように送信部１２を制御することにより、上述と同様の動作を実現することは言うまでもない。
【実施例２】
【００１５】
実施例２について、図３を用いて説明する。上記の実施例１がコンベア５によりＩＣタグ２が１列に搬送された例であるのに対し、本実施例はコンベア５によりＩＣタグ２が２列に搬送され、それぞれにＩＤ番号を印字する例である。また、図中において実施例１と同一の符号は同一の機能を示しているため、以下、実施例１と異なる部分について図３を用いて説明する。送信部１２から発信される電波は、２列に並んで搬送されるＩＣタグ２の双方に送られる。各々のＩＣタグ２が発信するデータは、ほぼ同時刻に受信部１７で受信され、ＩＣタグ読取器１にて各々のＩＤデータが抽出される。この各々のＩＤデータは印字制御器３に送られ、印字制御器３は印字ヘッド３１により、２つのＩＣタグ２に対して各々に対応するＩＤ番号を印字する。なお、印字ヘッド３１の印字位置を制御する移動機構３２も印字制御器３が制御する。ここで、コンベア５により平行でしかも同速度で搬送されてくるＩＣタグに対する印字を可能とするため、移動機構３２は左右方向と前後方向の２軸方向の動作をする。
【００１６】
次に、ＩＣタグ読取器１が２列で送られてくるＩＣタグ２のＩＤデータを読込む方式の詳細について、図４を用いて説明する。上述のように、送信部１２から発信される電波を同時に受けた２つのＩＣタグ２＿１及び２＿２は、それぞれが動作を開始し、ＩＤデータの送信を行う。受信部１７には、２つのＩＣタグ２＿１及び２＿２の送信データを各々独立に受信するための受信部１３＿１と１３＿２が設置されている。また受信部１７には、２つのＩＣタグ２＿１及び２＿２の送信データが混在されて受信されないように、受信部１３＿１と１３＿２の間に電波を遮断する遮断機構１８を設けている。この遮断機構１８により、受信部１３＿１と１３＿２は、各々が対応するＩＣタグ２＿１及び２＿２のデータを正確に読取ることができる。その後、受信部１３＿１と１３＿２が受信したデータはＩＣタグ読取器１に送られる。なお、遮断機構１８が存在しても、送信部１２から送信される電波は、ＩＣタグ２＿１及び２＿２に連続して受信されることは言うまでもない。受信部１３＿１と１３＿２がデータを受信できる範囲まで、受信制御部１９も、２つのＩＤデータを処理できるように２つの入力を持つものである。これら２つのＩＤデータは印字制御器３に送られることで、上述の実施例１と同様に連続してＩＤデータの読取りと印字を行うことができる。
【００１７】
なお、本実施例では並列に２つのＩＣタグのデータを処理するシステムについてのべているが、同様な手法により３つ以上のＩＣタグを並列に処理できることは言うまでもない。
【００１８】
このように連続してＩＤ読取りと印字を行う場合にあっても、読取器がＩＤ番号を読取れる範囲に入る前からＩＣタグが信号を送信しているため、移動速度を早くしても確実に処理が行われるという利点がある。
【図面の簡単な説明】
【００１９】
【図１】実施例１のＩＤ印字システムの構成図。
【図２】実施例１のＩＤ印字システムにおけるＩＣタグ読取器の構成図。
【図３】実施例２のＩＤ印字システムの構成図。
【図４】実施例２のＩＤ印字システムにおけるＩＣタグ読取器の構成図。
【符号の説明】
【００２０】
１  ＩＣタグ読取器
１１  送信制御部
１２  送信部
１３  受信部
１４  受信制御部
１５  通信制御部
１７  受信部
１８  遮蔽機構
１９  受信制御部
２  ＩＣタグ
２１  ＩＣチップ
２２  アンテナ
３  印字制御器
３１  印字ヘッド
３２  移動機構
４  ＩＣタグの供給装置
５  コンベア
６  ＩＣタグの回収装置
【図１】
2006031461.tif 000003
【図２】
2006031461.tif 000004
【図３】
2006031461.tif 000005
【図４】
2006031461.tif 000006